(57)【特許請求の範囲】
【請求項１】
給湯燃焼ファンと給湯ガス比例弁を有した給湯用燃焼部と、風呂燃焼ファンと風呂ガス比例弁を有した風呂追だき用燃焼部と、前記給湯用燃焼部の排気ガスを排出する給湯用排気部と、前記風呂追だき用燃焼部の排気ガスを排出する風呂追だき用排気部とを備え、前記給湯用燃焼部と風呂追だき用燃焼部がそれぞれ単独で運転できるようにした風呂給湯装置であって、前記給湯用排気部と風呂追だき用排気部に取付け、排気方向を変更する排気変更アダプタを後付けで取り付ける構成とし、前記排気変更アダプタを取り付けた場合に給湯燃焼ファンと風呂燃焼ファンが同時に回転するように切換指示を行う切換スイッチを設け、前記切換スイッチで指示された場合、給湯または風呂追だきの単独運転時に運転をしていない側の燃焼ファンを同時に回転させる制御手段を備えた風呂給湯装置。
【請求項２】
切換スイッチで指示され、給湯または風呂追だきの単独運転時に運転をしていない側の燃焼ファンを同時に回転させた場合、単独運転をしている側の燃焼ファンの回転数を変更し燃焼用空気量を補正する変更手段を備えた請求項１記載の風呂給湯装置。
【請求項３】
切換スイッチで指示され、給湯または風呂追だきの単独運転時に運転をしていない側の燃焼ファンを同時に回転させた場合、単独運転をしている側のガス比例弁で制御される点火ガス量を変更する変更手段を備えた請求項１記載の風呂給湯装置。
【発明の詳細な説明】
【０００１】
【発明の属する技術分野】
本発明は、風呂給湯装置の設備状態に合わせた排気ガス排出方向変更アダプタ取付時の制御方法に関する。
【０００２】
【従来の技術】
従来この種の風呂給湯装置は図４に示すような構造になっている。すなわち、給湯運転時には、給湯栓１を「開」にすると、水量センサー２が通水を検知した後、この信号を受けて給湯燃焼ファン３が回転し、給湯電磁弁４、給湯ガス比例弁５が開き給湯バーナ６に着火する。
【０００３】
また、給湯の負荷に応じたガス量、燃焼空気量になるよう給湯ガス比例弁５、給湯燃焼ファン３は制御手段７により制御されている。給湯バーナ６で燃焼された排気ガスは給湯用排気部８より機外へ排出される。
【０００４】
一方風呂追だき運転時には、ポンプ９が回転し通水検知器１０が通水を検知した後、この信号を受けて風呂燃焼ファン１１が回転し、風呂電磁弁１２、風呂ガス比例弁１３が開き、風呂バーナ１４に着火する。
【０００５】
また、風呂の負荷に応じたガス量、燃焼空気量になるよう風呂ガス比例弁１３、風呂燃焼ファン１１は制御手段７により制御されている。風呂バーナ１４で燃焼された排気ガスは風呂追だき用排気部１５より機外へ排出される。
【０００６】
また風呂給湯装置の設置時に、前方に障害物、植木等がある場合には、図２及び図３に示すような排気変更アダプタ１６（本事例では右方向吹出しを示す）を、風呂給湯装置１７の給湯用排気部８及び風呂追だき用排気部１５に取付けて排気方向を変更する構成になっている。
【０００７】
【発明が解決しようとする課題】
しかしながら上記のような構成のものでは、図３に示すように排気変更アダプタ１６内に排気仕切り１８が必要となり、排気変更アダプタ１６が大型化し、また排気仕切り１８の気密性が悪いと非燃焼側の排気部から排気ガスが逆流し異常燃焼を発生するという課題を有していた。
【０００８】
そこで、本発明の目的は、排気変更アダプタを後付けで取付ける構成において、排気変更アダプタを後付けしたとき切換スイッチで指示することにより、給湯または風呂追だきの単独運転時に運転をしていない側の燃焼ファンを同時に回転させる制御手段を備え、排気アダプタを小型化、シンプル化し、かつ、排気ガスの器具内への逆流を防止し、燃焼の安定化を図ることを目的とするものである。
【０００９】
【課題を解決するための手段】
本発明の風呂給湯装置においては、給湯用燃焼部と、風呂追だき用燃焼部と、給湯用排気部と、風呂追だき用排気部とを備え、前記給湯用燃焼部と風呂追だき用燃焼部がそれぞれ単独で運転できるようにした風呂給湯装置であって、前記給湯用排気部と風呂追だき用排気部の排気方向を変更する排気変更アダプタを後付けで取り付ける構成とし、前記排気変更アダプタを取り付けた場合に給湯燃焼ファンと風呂燃焼ファンが同時に回転するように切換指示を行う切換スイッチを設け、前記切換スイッチで指示された場合、給湯または風呂追だきの単独運転時に運転をしていない側の燃焼ファンを同時に回転させる制御手段を備えている。
【００１０】
この本発明によれば、排気変更アダプタを後付けしたとき切換スイッチで指示することにより、給湯または風呂追だきの単独運転時に運転をしていない側の燃焼ファンを同時に回転させるようにしているため、排気ガスが器具内部へ逆流することを防止することができると共に、排気変更アダプタをシンプルで小型にすることができる。
【００１１】
【発明の実施の形態】
上記目的を達成するために、本発明の風呂給湯装置の第１の手段は、給湯燃焼ファンと給湯ガス比例弁を有した給湯用燃焼部と、風呂燃焼ファンと風呂ガス比例弁を有した風呂追だき用燃焼部と、前記給湯用燃焼部の排気ガスを排出する給湯用排気部と、前記風呂追だき用燃焼部の排気ガスを排出する風呂追だき用排気部とを備え、前記給湯用燃焼部と風呂追だき用燃焼部がそれぞれ単独で運転できるようにした風呂給湯装置であって、前記給湯用排気部と風呂追だき用排気部に取付け、排気方向を変更する排気変更アダプタを後付けで取り付ける構成とし、前記排気変更アダプタを取り付けた場合に給湯燃焼ファンと風呂燃焼ファンが同時に回転するように切換指示を行う切換スイッチを設け、前記切換スイッチで指示された場合、給湯または風呂追だきの単独運転時に運転をしていない側の燃焼ファンを同時に回転させる制御手段を備えたものである。
【００１３】
また、本発明の第２の手段は、切換スイッチで指示され、給湯または風呂追だきの単独運転時に運転をしていない側の燃焼ファンを同時に回転させた場合、単独運転をしている側の燃焼ファンの回転数を変更し燃焼用空気量を補正する変更手段を備えたものである。
【００１４】
また、本発明の第３の手段は、切換スイッチで指示され、給湯または風呂追だきの単独運転時に運転をしていない側の燃焼ファンを同時に回転させた場合、単独運転をしている側のガス比例弁で制御される点火ガス量を変更する変更手段を備えたものである。
【００１５】
上記第１の手段により本発明の風呂給湯装置は、排気変更アダプタを後付けしたとき切換スイッチで指示することにより、給湯または風呂追だきの単独運転時に運転をしていない側の燃焼ファンを同時に回転させるようにしているため、排気仕切りが不要となり、排気変更アダプタを小型化、構造のシンプル化ができ、かつ排気ガスの器具内への逆流を防止するため、燃焼性の優れたものとなる。
【００１７】
また、上記第２の手段により、排気アダプタを後付けして取付けた場合、燃焼用空気量の変化を容易に補正し、燃焼性の優れたものとなる。
【００１８】
また、上記第３の手段により、排気アダプタを後付けして取付けた場合に、運転していない側の燃焼ファンを回転させることに伴う燃焼用空気量の変化を点火ガス量の変更で補正することで、燃焼性能の優れたものとなる。
【００１９】
（実施の形態）
以下、本発明の第１の実施の形態の風呂給湯装置について、図面を参照しながら具体的に説明する。なお、従来例と同一部分には同一番号を付して詳細な説明を省略し、異なる部分を中心に説明する。
【００２０】
図１において、排気方向に障害物のないケースの排気変更アダプタ１６が取付いていない状態では、給湯単独運転時には、給湯燃焼ファン３、給湯ガス比例弁５が制御手段７により制御され燃焼が行なわれ、排気ガスは給湯用排気部８より機外へ排出される。この時は風呂燃焼ファン１１は停止している。
【００２１】
同様に風呂追だき単独運転時には、風呂燃焼ファン１１、風呂ガス比例弁１３が制御手段７により制御され燃焼が行なわれ、排気ガスは風呂追だき用排気部１５より機外へ排出される。この時は給湯燃焼ファン３は停止している。
【００２２】
ここで風呂給湯装置１７設置時に、排気部の前方に植木等の障害物がある場合には、排気変更アダプタ１６を後付けで取付けてその対応に当たる。
【００２３】
そして、排気変更アダプタ１６を後付けして取付けた場合、後述する切換スイッチ２０により、給湯または風呂追だきの単独運転時に運転をしていない側の燃焼ファンを同時に回転させる制御手段１９を風呂給湯装置１７は併設している。
【００２４】
このようなシーケンスによれば、図３に示す排気仕切り１８は不要となるため、排気変更アダプタ１６は小型化、シンプル化が図れ、かつ排気ガスが非燃焼側の排気部から逆流するという問題がなくなる。
【００２５】
次に本発明の第２の実施の形態を同図１により説明する。制御手段７には、排気変更アダプタ１６を取付けた場合、給湯燃焼ファン３と、風呂燃焼ファン１１とを、給湯または風呂追だき単独運転使用の場合でも同時に回転させる切換スイッチ２０が設けられており、容易に回転制御切換の操作ができるため、施工性の向上を図ることができる。
【００２６】
また、本発明の第３の実施の形態では、排気変更アダプタ１６を取付けた場合、給湯燃焼ファン３と、風呂燃焼ファン１１とを、給湯または風呂追だき単独運転使用の場合でも同時に回転させるため、燃焼用空気量が不足するという問題が発生する。
【００２７】
そこで本実施の形態では、燃焼用空気量を補正するために、給湯または風呂追だきの単独運転時に運転をしていない側の燃焼ファンを同時に回転させる状態になったとき、給湯または風呂追だき単独運転をしている側の燃焼ファンの回転数を所定回転数に変更する変更手段２１を備えているため、燃焼の安定化を図ることができる。
【００２８】
また、本発明の第４の実施の形態では、排気変更アダプタ１６を取付けた場合、給湯燃焼ファン３と、風呂燃焼ファン１１とを、給湯または風呂追だき単独運転時でも同時に回転させるため、点火時の燃焼用空気量が変化し、点火性能へ影響するという問題が発生する。
【００２９】
そこで本実施の形態では、変化した燃焼空気量に対応した所定の点火ガス量に変更する手段２２を備えているため点火性能の安定化を図ることができる。
【００３０】
【発明の効果】
以上の説明から明らかなように、本発明の請求項１に示す風呂給湯装置は、排気変更アダプタを後付けで取付ける場合は、切換スイッチで指示することにより、給湯または風呂追だきの単独運転時に運転をしていない側の燃焼ファンを同時に回転させる制御手段を併設しているため、排気変更アダプタを小型化、シンプル化でき、かつ排気ガスの器具内への逆流の防止を図ることができる。
【００３２】
また、本発明の請求項２では、給湯または風呂追だきの単独運転時に運転をしていない側の燃焼ファンを同時に回転させるとき、燃焼用空気量補正手段を備えているため、燃焼の安定化を図ることができる。
【００３３】
また、本発明の請求項３では、給湯または風呂追だきの単独運転時に運転をしていない側の燃焼ファンを同時に回転させるときの燃焼用空気量に対応した点火ガス量補正手段を備えているため、点火性能を含む燃焼の安定化を図ることができる。
【図面の簡単な説明】
【図１】年発明の実施の形態における風呂給湯装置の構成図
【図２】（ａ）従来の風呂給湯装置の斜視図
（ｂ）同装置に後付けする排気変更アダプタの斜視図
【図３】従来の排気変更アダプタの上部断面図
【図４】従来の風呂給湯装置の構成図
【符号の説明】
３  給湯燃焼ファン
８  給湯用排気部
１１  風呂燃焼ファン
１５  風呂追だき用排気部
１６  排気変更アダプタ
１９  制御手段
２０  切換スイッチ
２１、２２  変更手段
【図１】
0003829347.tif 000002
【図２】
0003829347.tif 000003
【図３】
0003829347.tif 000004
【図４】
0003829347.tif 000005